(57)【特許請求の範囲】
【請求項１】
複数の第１信号線を有する第１液晶パネルと、
複数の第２信号線を有する第２液晶パネルと、
共通電位が供給される共通電位供給線と、
前記第１信号線の終端と前記第２信号線の始端とを電気的に接続するか或いは切断するかを切り換える第１スイッチと、
前記第２信号線の終端と前記共通電位供給線とを電気的に接続するか或いは切断するかを切り換える第２スイッチと、
前記第１液晶パネルに映像信号を書き込む際に、前記第１スイッチにより前記第１信号線の終端と前記第２信号線の始端とが切断され、前記第２スイッチにより前記第２信号線の終端と前記共通電位供給線とが接続されてから、前記第１信号線に映像信号を書き込むと共に、前記共通電位供給線を介して前記第２信号線に共通電位を供給する信号線駆動回路と、を有し、
前記共通電位は、映像信号の電圧振幅の範囲内であることを特徴とする液晶表示装置。
【請求項２】
前記第１信号線は、前記第１スイッチに接続される接続第１信号線と、前記第１スイッチに接続されない未接続第１信号線の２種類の信号線があり、当該接続第１信号線及び当該未接続第１信号線は均一な長さであることを特徴とする請求項１に記載の液晶表示装置。
【請求項３】
前記信号線駆動回路は、前記第２液晶パネルに映像信号を書き込む際に、前記第１スイッチにより前記接続第１信号線の終端と前記第２信号線の始端とが接続され、前記第２スイッチにより前記第２信号線の終端と前記共通電位供給線とが切断されてから、前記接続第１信号線を介して前記第２信号線に映像信号を書き込むと共に、前記未接続第１信号線に共通電位を供給することを特徴とする請求項２に記載の液晶表示装置。
【請求項４】
前記信号線駆動回路は、前記共通電位を少なくとも１水平走査期間以上供給することを特徴とする請求項１乃至請求項３のいずれかに記載の液晶表示装置。
【発明の詳細な説明】
【技術分野】
【０００１】
本発明は、液晶表示装置に関し、特に、２つの液晶パネルの信号線を１つの信号線駆動回路で制御する一体型の液晶表示装置に関する。
【背景技術】
【０００２】
現在、携帯電話端末などに実装される液晶表示装置は、解像度が高く、発色の良いメイン液晶画面と、時間や電池の残量などの限られた情報を表示する小さなサブ液晶画面の２つの液晶画面を有するものが主流になっている。このような構成においては、２つの液晶パネルそれぞれにおいて、信号線動回路などの液晶モジュールを内蔵すると、実装面積が大きくなってしまうという問題がある。
【０００３】
これに対し、近年、液晶表示装置において、異なる基板に形成された２つの液晶パネルを結合し、一方の液晶パネルにおいては、他方の液晶パネルで使用する信号線と共通な信号線を使用し、２つの液晶パネルを１つの信号線駆動回路で制御する技術が開示されている（例えば、特許文献１参照）。
【０００４】
図６は、２つの液晶パネルを結合した従来の液晶表示装置における信号線の構成を説明するための平面図である。同図に示すように、例えば、液晶表示装置は、メイン液晶パネル１と、サブ液晶パネル２と、信号線駆動回路６とを有する。
【０００５】
メイン液晶パネル１は、例えばＲＧＢそれぞれ２４０本のメイン信号線７ａを有する。サブ液晶パネル２は、例えばＲＧＢそれぞれ１２０本のサブ信号線７ｂを有する。サブ信号線７ｂは、メイン液晶パネル１におけるＲＧＢそれぞれ１２０本のメイン信号線７ａと接続されている。
【０００６】
このような構成により、信号線駆動回路６は、メイン液晶パネル１に映像信号を書き込む際にはメイン信号線７ａを駆動し、サブ液晶パネル２に映像信号を書き込む際には、メイン信号線７ａに接続されたサブ信号線７ｂを駆動する。
【特許文献１】特開２００４−６１８９２号公報
【発明の開示】
【発明が解決しようとする課題】
【０００７】
しかしながら、上記構成のように、両液晶パネルにおいて信号線の配線数が異なる場合には、メイン信号線７ａは、サブ信号線７ｂに接続されるものとされないものとが存在し、メイン信号線７ａの配線長が異なる。よって、メイン液晶パネル１において中間調の映像表示を行った場合には、メイン信号線７ａの異なる配線長により生じた配線容量の差によって、各画素に書き込まれた映像信号の電位が変動し、表示画面にムラが生じてしまう。
【０００８】
これに対し、例えば、サブ信号線７ｂに接続されたメイン信号線７ａの終端部にスイッチを設け、メイン液晶パネル１に映像信号を書き込む際に、スイッチを閉じることにより、メイン信号線７ａの配線長を揃える方法がある。
【０００９】
しかしながら、スイッチを閉じた期間において、サブ信号線７ｂがフローティング状態になるため、サブ信号線７ｂの電位が変動しやすく、サブ液晶パネル２の表示画面にムラが生じてしまうという問題がある。
【００１０】
本発明は、上記に鑑みてなされたものであり、２つの液晶パネルを１つの信号線駆動回路で制御する一体型の液晶表示装置において、両パネルで共通して使用する信号線に起因する表示ムラを抑制することを課題とする。
【課題を解決するための手段】
【００１１】
第１の本発明に係る液晶表示装置は、複数の第１信号線を有する第１液晶パネルと、複数の第２信号線を有する第２液晶パネルと、共通電位が供給される共通電位供給線と、第１信号線の終端と第２信号線の始端とを電気的に接続するか或いは切断するかを切り換える第１スイッチと、第２信号線の終端と共通電位供給線とを電気的に接続するか或いは切断するかを切り換える第２スイッチと、第１液晶パネルに映像信号を書き込む際に、第１スイッチにより第１信号線の終端と第２信号線の始端とが切断され、第２スイッチにより第２信号線の終端と共通電位供給線とが接続されてから、第１信号線に映像信号を書き込むと共に、共通電位供給線を介して第２信号線に共通電位を供給する信号線駆動回路と、を有することを特徴とする。
【００１２】
本発明にあっては、第１液晶パネルに映像信号を書き込む際に、第１スイッチで第２信号線を第１信号線から切断し、第２スイッチで第２信号線を共通電位供給線に接続してから、信号線駆動回路により、共通電位供給線を介して第２信号線に共通な電位を供給することで、フローティング状態にある第２信号線の電位が共通電位に固定される。
【００１３】
また、上記液晶表示装置における第１信号線は、第１スイッチに接続される接続第１信号線と、第１スイッチに接続されない未接続第１信号線の２種類の信号線があり、接続第1信号線及び未接続第１信号線は均一な長さであることを特徴とする。
【００１４】
本発明にあっては、第１液晶パネルにおいて、第１スイッチに接続される接続第１信号線と、第１スイッチに接続されない未接続第１信号線の２種類の配線長は均一であるので、信号線駆動回路により書き込まれた映像信号の電位が、異なる長さの信号線の配線容量により変動するのが防止される。
【００１５】
また、上記液晶表示装置における信号線駆動回路は、第２液晶パネルに映像信号を書き込む際に、第１スイッチにより接続第１信号線の終端と第２信号線の始端とが接続され、第２スイッチにより第２信号線の終端と共通電位供給線とが切断されてから、接続第１信号線を介して第２信号線に映像信号を書き込むと共に、未接続第１信号線に共通電位を供給することを特徴とする。
【００１６】
本発明にあっては、第２液晶パネルに映像信号を書き込む際に、信号線駆動回路により、第１スイッチに接続されない未接続第１信号線に共通電位を供給することで、フローティング状態にある未接続第１信号線の電位が共通電位に固定される。
【００１７】
上記共通電位は、映像信号の電圧振幅の範囲内であることを特徴とする。これにより、上記第２信号線及び未接続第１信号線に映像信号が書き込まれない期間において、フローティング状態にある同信号線が映像信号と同レベルの共通電位に固定される。
【００１８】
上記表示装置における信号線駆動回路は、共通電位を少なくとも１水平走査期間以上供給することを特徴とする。これにより、フローティング状態にある上記第２信号線及び未接続第１信号線が共通電位に固定される。
【発明の効果】
【００１９】
本発明の液晶表示装置によれば、１つの信号線駆動回路で制御される２つの液晶パネルにおいて、共通して使用する信号線に起因する表示ムラを抑制することができる。
【発明を実施するための最良の形態】
【００２０】
以下、本発明の実施の形態について図面を用いて説明する。
【００２１】
［第１の実施の形態］
図１は、第１の実施の形態に係る液晶表示装置の概略的な構成を示す平面図である。同図に示すように、液晶表示装置は、メイン液晶パネル１と、サブ液晶パネル２とを有するアクティブマトリクス型のカラー液晶表示装置である。２つの液晶パネルはフレキシブルプリント基板３（以下ＦＰＣと称する）を介して接続され、実装時においては、図示しないバックライトを挟んで背中合わせに配置される。
【００２２】
メイン液晶パネル１は、同図の縦方向に３２０個、横方向に２４０個のＲＧＢ画素がマトリクス状に配列されたメイン表示領域４を有するＱＶＧＡ液晶表示パネルである。サブ液晶パネル２は、同図の縦方向に１２０個、横方向に１２０個のＲＧＢ画素がマトリクス状に配列されたサブ表示領域５を有するＱＶＧＡ液晶表示パネルである。
【００２３】
信号線駆動回路６は、メイン液晶パネル１のメイン表示領域４の外側に、ＣＯＧ（Ｃｈｉｐ  Ｏｎ  Ｇｌａｓｓ）技術により実装され、異なる基板に形成されたメイン液晶パネル１とサブ液晶パネル２の各信号線を駆動する。
【００２４】
次に、本発明の特徴である各液晶パネルの信号線に共通電位を供給する構成について図２を用いて説明する。同図は、図１の液晶表示装置の各液晶表示パネルにおける信号線の構成を説明するための概略を示した平面図である。
【００２５】
同図に示すように、液晶表示装置は、メイン液晶パネル１と、サブ液晶パネル２と、共通電位供給線８と、アナログスイッチ９ａ，９ｂと、アナログスイッチ１０と、アナログスイッチ１１と、信号線駆動回路６と、図示しない走査線駆動回路とを有する。ここで例えば、アナログスイッチ９ａ、９ｂ，１０，１１は多結晶シリコン薄膜トランジスタにより、液晶パネルの各基板上に形成される。
【００２６】
メイン液晶パネル１は、互いに平行して配線された２４０本のメイン信号線７ａを有する。ここで例えば、各メイン信号線７ａはＲＧＢそれぞれ３本の信号線で構成されている。メイン表示領域４においては、図示しないが、複数のメイン信号線７ａと互いに交差する複数の走査線との各交差部において画素が配置されている。ここでメイン信号線７ａは、均一な長さで配線されており、アナログスイッチ９ａ、９ｂによりサブ信号線７ｂに接続されるものと接続されないものの２種類がある。
【００２７】
サブ液晶パネル２は、互いに平行して配線された１２０本のサブ信号線７ｂを有する。ここで例えば、各サブ信号線７ｂはＲＧＢそれぞれ３本の信号線で構成されている。サブ表示領域５においては、図示しないが、複数のサブ信号線７ｂと互いに交差する複数の走査線との各交差部において画素が配置されている。
【００２８】
共通電位供給線８は、アナログスイッチ１０を介してサブ信号線７ｂの終端に接続され、信号線駆動回路６により共通電位が供給される。
【００２９】
アナログスイッチ９ａ、９ｂは、メイン液晶パネル１の上辺、サブ液晶パネル２の下辺に接続する信号線に対応してそれぞれ１２０個配置され、メイン信号線７ａの終端とサブ信号線７ｂの始端とを電気的に接続するか或いは切断するかを切り換える。
【００３０】
アナログスイッチ１０は、サブ液晶パネル２の上辺にサブ信号線７ｂに対応して１２０個配置され、サブ信号線７ｂの終端と共通電位供給線８とを電気的に接続するか或いは切断するかを切り換える。
【００３１】
ここで、アナログスイッチ９ａは、接続時においては、信号線駆動回路６からの信号線選択信号により、メインサブ共通配線１２に対してＲＧＢそれぞれ３本のメイン信号線７ａを順次３選択駆動する。
【００３２】
アナログスイッチ９ｂも同様にして、接続時においては、信号線駆動回路６からの信号線選択信号により、メインサブ共通配線１２に対してＲＧＢそれぞれ３本のサブ信号線７ｂを順次３選択駆動する。
【００３３】
アナログスイッチ１１は、信号線駆動回路６の各出力線と各メイン信号線７ａの始端との間にメイン信号線７ａに対応して２４０個配置され、信号線駆動回路６からの信号線選択信号に同期して、信号線駆動回路６の出力線に対してＲＧＢそれぞれ３本のメイン信号線７ａを順次３選択駆動する。
【００３４】
このようにアナログスイッチ９ａ、９ｂ、１１により信号線を選択駆動するような構成とすることで、液晶パネル間の接続配線数の削減及び液晶パネル内の信号線が占める面積を小さくしている。
【００３５】
信号線駆動回路６は、メイン液晶パネル１に映像信号を書き込む際に、アナログスイッチ９ａ、９ｂによりメイン信号線７ａの終端とサブ信号線７ｂの始端とが切断され、アナログスイッチ１０によりサブ信号線７ｂの終端と共通電位供給線８とが接続されてから、メイン信号線７ａに映像信号を書き込むと共に、共通電位供給線８を介してサブ信号線７ｂの終端に共通電位を供給する。
【００３６】
また、サブ液晶パネル２に映像信号を書き込む際に、アナログスイッチ９ａ、９ｂによりメイン信号線７ａの終端とサブ信号線７ｂの始端とが接続され、アナログスイッチ１０によりサブ信号線７ｂの終端と共通電位供給線８とが切断されてから、メイン信号線７ａを介してサブ信号線７ｂに映像信号を書き込むと共に、接続されていないメイン信号線７ａに共通電位を供給する。ここで例えば、共通電位は中間調の電位とする。
【００３７】
次に、メイン信号線及びサブ信号線に共通電位を供給する動作について、図３のタイミングチャートを参照しながら説明する。同図は、１フレーム期間における各アナログスイッチ、信号線、駆動回路の状態の関係を示すタイミングチャートである。ここでは１フレーム期間において、メイン液晶パネル１への映像信号の書き込みと、サブ液晶パネル２への映像信号の書き込みとが順次行われる。尚、各液晶パネルへの書き込みは、１フレーム期間内で隣接する走査線毎に、各画素へ印加される電圧の極性を反転させる水平ライン反転駆動方式により行う。
【００３８】
時刻ｔ１において、１フレーム期間が開始され、メイン、サブ液晶パネルを駆動する走査線駆動回路が停止状態となる（ブランキング期間）。この期間において、例えば、サブ液晶パネル２のサブ信号線７ｂの電位を固定する。
【００３９】
まず、信号線駆動回路６からアナログスイッチをオフする制御信号により、アナログスイッチ９ａ、９ｂは、メイン信号線７ａの終端とサブ信号線７ｂの始端とを切断する。一方で、信号線駆動回路６からアナログスイッチをオンする制御信号により、アナログスイッチ１０は、サブ信号線７ｂの終端と共通電位供給線８とを電気的に接続する。
【００４０】
そして、信号線駆動回路６により、共通電位供給線８を介してサブ信号線７ｂの終端に共通電位を供給する。これにより、フローティング状態にあるサブ信号線７ｂの電位が共通電位に固定される。
【００４１】
また、このときメイン液晶パネル１においては、メイン液晶パネル用走査線駆動回路は停止状態にあるが、信号線駆動回路６により、アナログスイッチ１１を順次３選択駆動させると共に、メイン信号線７ａを通常駆動させることで、メイン信号線７ａがフローティング状態になるのが防止される。
【００４２】
時刻ｔ２において、メイン液晶パネル１への書き込みが開始される。メイン液晶パネル用走査線駆動回路により、走査線が順次駆動され、信号線駆動回路６からメイン信号線７ａに映像信号が書き込まれる。このとき、信号線駆動回路６からの信号線選択信号に同期して、アナログスイッチ１１は、信号線駆動回路６の各出力線に対して、ＲＧＢそれぞれ３本のメイン信号線７ａを順次３選択駆動する。
【００４３】
ここでアナログスイッチ９ａに接続されるメイン信号線７ａと、接続されないメイン信号線７ａの２種類の配線長は均一であるので、各画素において、信号線駆動回路６により書き込まれた映像信号の電位が、異なる長さの信号線の配線容量により変動するのが防止される。
【００４４】
一方で、サブ液晶パネル２においては、サブ液晶パネル用の走査線駆動回路は停止状態を維持し、アナログスイッチ９ａ、９ｂはオフ、アナログスイッチ１０はオンを維持しており、サブ信号線７ｂの電位は共通電位に固定されたままである。
【００４５】
時刻ｔ３において、信号線駆動回路６からアナログスイッチをオンする制御信号により、アナログスイッチ９ａ、９ｂは、メイン信号線７ａの終端とサブ信号線７ｂの始端とを接続する。一方で、信号線駆動回路６からアナログスイッチをオフする制御信号により、アナログスイッチ１０は、サブ信号線７ｂの終端と共通電位供給線８とを切断する。
【００４６】
時刻ｔ４において、サブ液晶パネル２への書き込みが開始される。サブ液晶パネル用走査線駆動回路により、走査線が順次駆動され、信号線駆動回路６から、アナログスイッチ９ａ、９ｂによりサブ信号線７ｂの始端に接続されたメイン信号線７ａを介して映像信号が書き込まれる。このとき、信号線駆動回路６からの信号線選択信号に同期して、アナログスイッチ９ａ、９ｂ，アナログスイッチ１１は、ＲＧＢそれぞれ３本の信号線を順次３選択駆動する。
【００４７】
一方で、信号線駆動回路６により、アナログスイッチ９ａ、９ｂに接続されないメイン信号線７ａに対して共通電位を供給する。これにより、メイン液晶パネル１において、フローティング状態にあるメイン信号線７ａの電位が共通電位に固定される。
【００４８】
時刻ｔ５において、サブ液晶パネル２への書き込みが終了し、メイン液晶パネル用走査線駆動回路に続いてサブ液晶パネル用走査線駆動回路が動作を停止し、ブランキング期間となる。ブランキング期間中において、時刻ｔ１における処理と同様に、サブ液晶パネル２のサブ信号線７ｂの電位を固定する。信号線駆動回路６からアナログスイッチをオフする制御信号により、アナログスイッチ９ａ、９ｂは、メイン信号線７ａの終端とサブ信号線７ｂの始端とを切断する。一方で、信号線駆動回路６からのスイッチをオンする制御信号により、アナログスイッチ１０は、サブ信号線７ｂの終端と共通電位供給線８とを電気的に接続する。
【００４９】
そして、信号線駆動回路６から共通電位供給線８を介してサブ信号線７ｂの終端に共通電位を供給する。これにより、フローティング状態にあるサブ信号線７ｂの電位が共通電位に固定される。
【００５０】
したがって、第１の実施の形態によれば、メイン液晶パネル１に映像信号を書き込む際に、アナログスイッチ９ａ、９ｂでサブ信号線７ｂをメイン信号線７ａから切断し、アナログスイッチ１０でサブ信号線７ｂを共通電位供給線８に接続してから、信号線駆動回路６により、共通電位供給線８を介してサブ信号線７ｂに共通な電位を供給することで、フローティング状態にあるサブ信号線７ｂの電位が共通電位に固定される。
【００５１】
また、メイン液晶パネル１において、アナログスイッチ９ａに接続されるメイン信号線７ａと、アナログスイッチ９ａに接続されないメイン信号線７ａの２種類の配線長を均一としたことで、信号線駆動回路６により書き込まれた映像信号の電位が、異なる長さの信号線の配線容量により変動するのが防止される。
【００５２】
さらに、サブ液晶パネル２に映像信号を書き込む際に、メイン液晶パネル１において、信号線駆動回路６により、アナログスイッチ９ａ、９ｂに接続されないメイン信号線７ａに対しても共通電位を供給することで、フローティング状態にあるメイン信号線７ａの電位が共通電位に固定される。
【００５３】
よって、１つの信号線駆動回路で制御される２つの液晶パネルにおいて、共通して使用する信号線に起因する表示ムラを抑制することができる。
【００５４】
［第２の実施の形態］
以下、第２の実施の形態に係る表示装置について説明する。
【００５５】
第２の実施の形態における液晶表示装置の構成は、第１の実施の形態で説明したものと基本的な構成は同様である。第１の実施の形態と異なる点は、共通電位供給線８ｂを、アナログスイッチ１０を介してサブ信号線７ｂに接続するだけでなく、共通電位供給線８ａを、アナログスイッチ９ａを介して、ＲＧＢそれぞれ３本のメイン信号線７ａのうち２本に接続する点である。以下では、第１の実施の形態と異なる点を中心に説明し、既に説明した点については説明を省略する。
【００５６】
次に、本発明の特徴である各液晶パネルの信号線に共通電位を供給する構成について図４を用いて説明する。同図は、第２の実施の形態に係る液晶表示装置の各液晶表示パネルにおける信号線の構成を説明するための平面図である。
【００５７】
同図に示すように、液晶表示装置は、メイン液晶パネル１と、サブ液晶パネル２と、共通電位供給線８ａ、８ｂと、アナログスイッチ９ａ，９ｂと、アナログスイッチ１０と、アナログスイッチ１１と、信号線駆動回路６とを有する。ここで例えば、アナログスイッチ９ａ、９ｂ，１０，１１は多結晶シリコン薄膜トランジスタにより形成される。
【００５８】
共通電位供給線８ａ、８ｂは、信号線駆動回路６から共通電位が供給される。共通電位供給線８ａは、アナログスイッチ９ａを介して、ＲＧＢそれぞれ３本のメイン信号線７ａのうち、２本の終端に接続される。共通電位供給線８ｂは、アナログスイッチ１０を介してサブ信号線７ｂの終端に接続される。
【００５９】
アナログスイッチ９ａ、９ｂは、メイン液晶パネル１の上辺、サブ液晶パネル２の下辺に接続する信号線に対応してそれぞれ１２０個配置され、メイン信号線７ａの終端とサブ信号線７ｂの始端とを電気的に接続するか或いは切断するかを切り換える。
【００６０】
アナログスイッチ１０は、サブ液晶パネル２の上辺にサブ信号線７ｂに対応して１２０個配置され、サブ信号線７ｂの終端と共通電位供給線８とを電気的に接続するか或いは切断するかを切り換える。
【００６１】
ここで、アナログスイッチ９ａは、接続時においては、メインサブ共通配線１２に、ＲＧＢ３本のメイン信号線７ａのうち、例えばＲの信号線が常に選択されるように設定される。
【００６２】
また、アナログスイッチ９ｂは、接続時においては、信号線駆動回路６からの信号線選択信号により、メインサブ共通配線１２に対して、ＲＧＢそれぞれ３本のサブ信号線７ｂを順次３選択駆動する。
【００６３】
アナログスイッチ１１は、信号線駆動回路６の各出力線と各メイン信号線７ａの始端との間にメイン信号線７ａに対応して２４０個配置され、メイン液晶パネル１への書き込み時においては、信号線駆動回路６からの信号線選択信号に同期して、信号線駆動回路６の各出力線に対してＲＧＢそれぞれ３本のメイン信号線７ａを順次３選択駆動する。サブ液晶パネル２への書き込み時においては、ＲＧＢ３本のメイン信号線７ａのうち例えばＲの信号線が常に選択されるように設定される。
【００６４】
信号線駆動回路６は、メイン液晶パネル１に映像信号を書き込む際に、アナログスイッチ９ａ、９ｂによりメイン信号線７ａの終端とサブ信号線７ｂの始端とが切断され、アナログスイッチ１０によりサブ信号線７ｂの終端と共通電位供給線８とが接続されてから、メイン信号線７ａに映像信号を書き込むと共に、共通電位供給線８ｂを介してサブ信号線７ｂの終端に共通電位を供給する。
【００６５】
また、サブ液晶パネル２に映像信号を書き込む際に、アナログスイッチ９ａ、９ｂによりメイン信号線７ａの終端とサブ信号線７ｂの始端とが接続され、アナログスイッチ１０によりサブ信号線７ｂの終端と共通電位供給線８とが切断されてから、メイン信号線７ａを介してサブ信号線７ｂに映像信号を書き込むと共に、接続されていないメイン信号線７ａに共通電位を供給する。ここで例えば、共通電位は中間調の電位とする。
【００６６】
次に、メイン信号線及びサブ信号線に共通電位を供給する動作について、図５のタイミングチャートを参照しながら説明する。同図は、１フレーム期間における各アナログスイッチ、信号線、駆動回路の状態の関係を示すタイミングチャートである。ここでは１フレーム期間において、メイン液晶パネル１への映像信号の書き込みと、サブ液晶パネル２への映像信号の書き込みとが順次行われる。尚、各液晶パネルへの書き込みは、１フレーム期間内で隣接する走査線毎に各画素へ印加される電圧の極性を反転させる水平ライン反転駆動方式により行う。
【００６７】
時刻ｔ１において、１フレーム期間が開始され、メイン、サブ液晶パネルを駆動する走査線駆動回路が停止状態となる（ブランキング期間）。この期間において、例えば、サブ液晶パネル２のサブ信号線７ｂの電位を固定する。
【００６８】
まず、信号線駆動回路６からアナログスイッチをオフする制御信号により、アナログスイッチ９ａ、９ｂは、メイン信号線７ａの終端とサブ信号線７ｂの始端とを切断する。一方で、信号線駆動回路６からアナログスイッチをオンする制御信号により、アナログスイッチ１０は、サブ信号線７ｂの終端と共通電位供給線８ｂとを電気的に接続する。
【００６９】
そして、信号線駆動回路６から、共通電位供給線８を介してサブ信号線７ｂの終端に共通電位を供給する。これにより、フローティング状態にあるサブ信号線７ｂの電位が共通電位に固定される。
【００７０】
また、このときメイン液晶パネル１においては、メイン液晶パネル用走査線駆動回路は停止状態にあるが、信号線駆動回路６により、アナログスイッチ１１を順次３選択駆動させると共に、メイン信号線７ａを通常駆動させることで、メイン信号線７ａがフローティング状態になるのが防止される。
【００７１】
時刻ｔ２において、メイン液晶パネル１への書き込みが開始される。メイン液晶パネル用走査線駆動回路により、走査線が順次駆動され、信号線駆動回路６からメイン信号線７ａに映像信号が書き込まれる。このとき、信号線駆動回路６からの信号線選択信号に同期して、アナログスイッチ１１は、信号線駆動回路６の各出力線に対してＲＧＢそれぞれ３本のメイン信号線７ａを順次３選択駆動する。
【００７２】
ここでアナログスイッチ９ａに接続されるメイン信号線７ａと、接続されないメイン信号線７ａの２種類の配線長は均一であるので、各画素において、信号線駆動回路６により書き込まれた映像信号の電位が、異なる長さの信号線の配線容量により変動するのが防止される。
【００７３】
一方で、サブ液晶パネル２においては、サブ液晶パネル用の走査線駆動回路は停止状態を維持し、アナログスイッチ９ａ、９ｂはオフ、アナログスイッチ１０はオンを維持しており、サブ信号線７ｂの電位は共通電位に固定されたままである。
【００７４】
時刻ｔ３において、信号線駆動回路６からアナログスイッチをオンする制御信号により、アナログスイッチ９ａ、９ｂは、メイン信号線７ａの終端とサブ信号線７ｂの始端とを接続する。ここで、アナログスイッチ９ａは、メインサブ共通配線１２に、ＲＧＢ３本のメイン信号線７ａのうち例えばＲの信号線が常に選択されるように設定される。アナログスイッチ９ｂは、信号線駆動回路６からの信号線選択信号により、メインサブ共通配線１２に対してＲＧＢそれぞれ３本のサブ信号線７ｂを順次３選択駆動する。
【００７５】
また、アナログスイッチ１１は、ＲＧＢ３本のメイン信号線７ａのうち例えばＲの信号線が常に選択されるように設定される。
【００７６】
一方で、信号線駆動回路６からのスイッチをオフする制御信号により、アナログスイッチ１０は、サブ信号線７ｂの終端と共通電位供給線８ｂとを切断する。
【００７７】
時刻ｔ４において、サブ液晶パネル２への書き込みが開始される。サブ液晶パネル用走査線駆動回路により、走査線が順次駆動され、信号線駆動回路６から、アナログスイッチ９ａ、９ｂによりサブ信号線７ｂの始端に接続されたメイン信号線７ａを介して映像信号が書き込まれる。
【００７８】
このとき、信号線駆動回路６からの信号線選択信号に同期して、アナログスイッチ９ｂは、ＲＧＢそれぞれ３本の信号線を順次３選択駆動する。また、アナログスイッチ９ａ、アナログスイッチ１１の設定は固定されており、常にＲのメイン信号線７ａが選択されている。
【００７９】
一方で、信号線駆動回路６により、共通電位供給線８ａから、アナログスイッチ９ａを介して、ＧとＢに相当する２本のメイン信号線７ａに共通電位が供給される。これにより、メイン液晶パネル１において、フローティング状態にあるメイン信号線７ａの電位が共通電位に固定される。
【００８０】
時刻ｔ５において、サブ液晶パネル２への書き込みが終了し、メイン液晶パネル用走査線駆動回路に続いてサブ液晶パネル用走査線駆動回路が動作を停止し、ブランキング期間となる。ブランキング期間中において、時刻ｔ１における処理と同様に、サブ液晶パネル２のサブ信号線７ｂの電位を固定する。信号線駆動回路６からアナログスイッチをオフする制御信号により、アナログスイッチ９ａ、９ｂは、メイン信号線７ａの終端とサブ信号線７ｂの始端とを切断する。一方で、信号線駆動回路６からのスイッチをオンする制御信号により、アナログスイッチ１０は、サブ信号線７ｂの終端と共通電位供給線８ｂとを電気的に接続する。
【００８１】
そして、信号線駆動回路６から、共通電位供給線８ｂを介してサブ信号線７ｂの終端に共通電位を供給する。これにより、フローティング状態にあるサブ信号線７ｂの電位が共通電位に固定される。
【００８２】
したがって、第２の実施の形態によれば、メイン液晶パネル１に映像信号を書き込む際に、アナログスイッチ９ａ、９ｂでサブ信号線７ｂをメイン信号線７ａから切断し、アナログスイッチ１０でサブ信号線７ｂを共通電位供給線８に接続してから、信号線駆動回路６により、共通電位供給線８ｂを介してサブ信号線７ｂに共通な電位を供給することで、フローティング状態にあるサブ信号線７ｂの電位が共通電位に固定される。
【００８３】
また、メイン液晶パネル１において、アナログスイッチ９ａに接続されるメイン信号線７ａと、アナログスイッチ９ａに接続されないメイン信号線７ａの２種類の配線長を均一としたことで、信号線駆動回路６により書き込まれた映像信号の電位が、異なる長さの信号線の配線容量により変動するのが防止される。
【００８４】
さらに、サブ液晶パネル２に映像信号を書き込む際に、メイン液晶パネル１において、信号線駆動回路６により、共通電位供給線８ａから、アナログスイッチ９ａを介して、ＧとＢに相当する２本のメイン信号線７ａに共通電位を供給することで、フローティング状態にあるメイン信号線７ａの電位が共通電位に固定される。
【００８５】
よって、１つの信号線駆動回路で制御される２つの液晶パネルにおいて、共通して使用する信号線に起因する表示ムラを抑制することができる。
【００８６】
尚、上記各実施の形態においては、共通電位は中間調の特定の電位としたが、これに限られるものではなく、映像信号の電圧振幅の範囲内であればよく、フローティング状態にある信号線を特定の電位に固定することができる。
【００８７】
また、上記各実施の形態においては、サブ信号線に共通電位を供給する期間はサブ液晶パネルを駆動しないブランキング期間及びメイン液晶パネルへの書き込み期間とし、メイン信号線に共通電位を供給する期間はサブ液晶パネルへの書き込み期間としたが、これに限られるものではなく、少なくとも共通電位を１水平走査期間以上供給すれば、フローティング状態にある信号線を特定の電位に固定することができる。
【００８８】
その他、上記の各実施の形態においては、信号線駆動回路は、メイン液晶パネル上にＣＯＧで実装する構成としたが、これに限られるものではなく、例えば、信号線やアナログスイッチなどと同一プロセスで多結晶シリコン薄膜トランジスタにより、どちらか一方の液晶パネルの同一基板上に一体的に形成してもよい。
【００８９】
また、上記の各実施の形態においては、信号線駆動回路により、メイン信号線及びサブ信号線に共通電位を供給する構成にしたが、これに限られるものではなく、各液晶パネル内に専用の回路を形成し、これらの回路により共通電位を供給する構成にしてもよい。
【００９０】
さらに、上記の各実施の形態においては、アナログスイッチにより、ＲＧＢそれぞれ３本の信号線を順次選択駆動するような構成とし、液晶パネル間の接続配線数の削減及び液晶パネル内の信号線が占める面積を小さくするようにしたが、選択駆動する信号線の本数は、２以上の整数であれば任意でよく、例えば、６本の信号線をアナログスイッチにより選択駆動するような構成にしてもよい。
【図面の簡単な説明】
【００９１】
【図１】第１の実施の形態に係る液晶表示装置の概略的な構成を示す平面図である。
【図２】図１の液晶表示装置の各液晶表示パネルにおける信号線の構成を説明するための概略を示した平面図である。
【図３】図２の各液晶パネルにおいて、１フレーム期間におけるアナログスイッチ、信号線、走査線駆動回路の状態の関係を示すタイミングチャートである。
【図４】第２の実施の形態に係る液晶表示装置の各液晶表示パネルにおける信号線の構成を説明するための概略を示した平面図である。
【図５】図４の各液晶パネルにおいて、１フレーム期間におけるアナログスイッチ、信号線、走査線駆動回路の状態の関係を示すタイミングチャートである。
【図６】２つの液晶パネルを結合した従来の液晶表示装置における信号線の構成を説明するための平面図である。
【符号の説明】
【００９２】
１…メイン液晶パネル
２…サブ液晶パネル
３…ＦＰＣ
４…メイン表示領域
５…サブ表示領域
６…信号線駆動回路
７ａ…メイン信号線
７ｂ…サブ信号線
８、８ａ、８ｂ…共通電位供給線
９ａ、９ｂ、１０，１１…アナログスイッチ
１２…メインサブ共通信号線
【図１】
0004834372.tif 000002
【図２】
0004834372.tif 000003
【図３】
0004834372.tif 000004
【図４】
0004834372.tif 000005
【図５】
0004834372.tif 000006
【図６】
0004834372.tif 000007